(57)【要約】      （修正有）【課題】セルラ移動局を専用システムで運転するための専用システムの制御チャネルの探索。【解決手段】移動局は近接検出器を含み、近接システムが送信する近接信号を認識する。この認識により、例えば専用無線通信制御チャンネルの探索を開始する。これにより、移動局は専用無線通信システムの存在を認識するための、公衆無線通信セル特性とは独立した機構を有する。【選択図】図３
2007202141.tif 000002
【特許請求の範囲】
【請求項１】
移動局であって、
エア・インターフェースで信号を受信する受信機と、
無線通信システムの存在に関する指示を受信する近接検出器と、
前記受信信号と前記受信指示を処理するプロセッサと、
を備え、前記無線通信システムの存在に関する前記指示を受信すると前記無線通信システムに関連する制御チャンネルの探索を開始する、
移動局。
【請求項２】
前記近接検出器はＲＦ感知装置を含む、請求項１に記載の移動局。
【請求項３】
前記近接検出器は磁気センサを含む、請求項１に記載の移動局。
【請求項４】
前記近接検出器は近接信号に関連するデータを読み取る機能を有する近接信号検出器を含む、請求項１に記載の移動局。
【請求項５】
前記データは前記制御チャンネルに関連する少なくとも１つの周波数を示すコードを含む、請求項４に記載の移動局。
【請求項６】
前記近接検出器はスマート・カード内に含まれる、請求項１に記載の移動局。
【請求項７】
前記近接検出器はＳＩＭカード内に含まれる、請求項１に記載の移動局。
【請求項８】
ディスプレイを更に含み、前記プロセッサは前記指示を受信すると予めプログラムされたメッセージを前記ディスプレイに出力する、請求項１に記載の移動局。
【請求項９】
無線通信システムの固定部であって、
エア・インターフェースで無線信号を送信および受信するトランシーバと、
前記無線通信システムの前記固定部の存在を示す近接信号を送信する装置と、を備える、無線通信システムの固定部。
【請求項１０】
前記近接信号はデータを含む、請求項９に記載の無線通信システムの固定部。
【請求項１１】
前記データは制御チャンネル番号を含む、請求項１０に記載の無線通信システムの固定部。
【請求項１２】
前記データは前記トランシーバが送信する制御チャンネルに関連する周波数を含む、請求項１０に記載の無線通信システムの固定部。
【請求項１３】
前記データは前記固定部に関連する専用システム識別（ＰＳＩＤ）コードを含む、請求項１０に記載の無線通信システムの固定部。
【請求項１４】
前記データは周波数の範囲を含む、請求項１０に記載の無線通信システムの固定部。
【請求項１５】
前記データはＰＳＩＤの範囲を含む、請求項１０に記載の無線通信システムの固定部。
【請求項１６】
前記データは前記近接信号の特性内に暗に含まれる、請求項１０に記載の無線通信システムの固定部。
【請求項１７】
前記特性は前記近接信号の周波数である、請求項１６に記載の無線通信システムの固定部。
【請求項１８】
前記固定部は基地局を含む、請求項９に記載の無線通信システムの固定部。
【請求項１９】
前記データは位置情報を含む、請求項９に記載の無線通信システムの固定部。
【請求項２０】
アクセス制御システムであって、
近接信号を送信する固定部と、
前記近接信号を検出する近接検出器を含む移動部と、
を備え、前記移動部と前記固定部は前記近接信号を検出する前記移動部に応じて認証手続きを行い、また
前記認証手続きに応じて或るエンティティへのアクセスを制御する手段と、
を備える、アクセス制御システム。
【請求項２１】
アクセス制御を行う方法であって、
移動局内で近接信号を検出し、
前記移動局に関連する識別データを含む信号を、前記検出するステップに応じて固定通信システムに送信し、
前記識別データに基づいて前記移動局を認証し、
前記認証するステップの結果に基づいてアクセスを選択的に許可する、
ステップを含む、アクセス制御を行う方法。
【請求項２２】
前記認証するステップは近接システム内で行う、請求項２１に記載のアクセス制御を行う方法。
【請求項２３】
無線通信システムであって、
近接信号を生成する近接システムと、
許可されたユーザの第１の集合に無線通信サービスを与える専用無線通信システムと、
許可されたユーザの第２の集合に無線通信サービスを与える公衆無線通信システムと
を備え、前記近接信号によりユーザは前記専用無線通信システムの制御チャンネルの探索を開始する、無線通信システム。
【発明の詳細な説明】
【技術分野】
【０００１】
（発明の分野）
本発明は一般に通信システムの分野に関するもので、特に、移動局が公衆および専用無線通信システムと相互作用するシステムに関する。
【０００２】
セルラ電話の商業運転は米国でも世界の他の地域でも急速に発展した。主要都市での発展は予想をはるかに超えるものであった。この傾向が続けば、地域によっては大部分の電気通信サービスが無線通信方式で行われることになろう。かかる成長と需要の結果、無線サービスはますます利用しやすくなった。最近のように使用時間料率（air time rates）が低下してくると、ユーザはセルラ電話だけで個人的な通信を行うようになると思われる。セルラ電話はファクシミリやモデムなど、音声以外の形の送受信に用いることができるのでその人気はますます高まっている。
【０００３】
発展の過程で、セルラ技術は無線ＰＢＸや家庭基地局（例えばコードレス・システム）などの新しいアプリケーションにますます拡大しつつある。公衆セルラ・システムで用いられる電話は、専用システムで運転する職場および家庭でも用いられると考えられる。使用時間で課金される公衆システムとは異なり、かかる専用システムは一般に一定すなわち固定時間課金で運転する。しかし、セルラ電話を使用時間課金のない専用システムに接続するには、公衆セルラ・システムを支援する無線スペクトルの所有者から、その公衆システムを使用して専用システムにアクセスすることを許可してもらわなければならない。かかる所有者にとっての魅力は、ユーザがセルラ・ユニットを主な通信手段にした場合に、公衆システムでのセルラ電話の使用が増えるということである。公衆システムでのセルラ電話の使用が増えれば、無線スペクトルの所有者の収入も増える。
【０００４】
図１は、例示の基地局１１０と移動局１２０を含む例示のセルラ移動体無線電話システムのブロック図である。専用無線通信システムを探して同期する従来の方法と以下に述べる本発明に係る新しい方法とを、この図を用いて説明する。基地局は制御および処理ユニット１３０を含み、ユニット１３０は移動体サービス交換局ＭＳＣ１４０に接続し、ＭＳＣ１４０は例えばＰＳＴＮ（図示せず）に接続する。
【０００５】
基地局１１０は、制御および処理ユニット１３０により制御される音声チャンネル・トランシーバ１５０を通して、複数の音声チャンネルを処理する。また各基地局は、複数の制御チャンネルを処理する機能を有する制御チャンネル・トランシーバ１６０を含む。制御チャンネル・トランシーバ１６０は制御および処理ユニット１３０により制御される。制御チャンネル・トランシーバ１６０は基地局またはセルの制御チャンネルで、この制御チャンネルに同期する移動体に制御情報を放送する。理解されるように、トランシーバ１５０および１６０は移動局１２０内の音声および制御トランシーバ１７０のように単一の装置として実現してよい。
【０００６】
移動局１２０は制御チャンネルで放送される情報をその音声および制御チャンネル・トランシーバ１７０で受信する。次に処理ユニット１７５は、受信した制御チャンネル情報（移動局が同期する相手の候補であるセルの特性を含む）を評価し、移動局がどのセルに同期すべきかを決定する。移動局はこの情報を受信すると、内部に記憶している情報（例えば、セルの優先度など）と制御チャンネルで送信された情報（例えば、セルの種類やネットワークの所有者）とを比較する。
【０００７】
また移動局１２０は、ユーザが移動局と対話するための数値キーパッドなどの入力装置１８５と、情報をユーザに表示するＬＣＤスクリーンなどの表示装置１９０を含む。移動局はセルラ電話である他に、例えばＰＣＭＣＩＡ標準に準拠して設計されラップトップなどのパーソナル・コンピュータに接続するＰＣカードであってもよい。後者の場合は表示装置はＰＣモニタである。また移動局はメモリ１８０を備え、移動局１２０が使用を許可されている専用無線通信システムに関連する種々の情報を記憶する。
【０００８】
電源が入ると移動局は制御チャンネルを探して、例えばシステムの運転に関するオーバーヘッド情報を得たり、ページング・メッセージを受信したり、呼を開始したりする。公衆システムで制御チャンネルを探す方法は種々あり、一般にかかる方法は適用される無線通信標準により指定されている。制御チャンネルを探す方法の例は米国特許番号第５，５７０，４６７号に述べられている。この特許を引例することによりここに取り込まれる。
【０００９】
セルラ移動体ユニットを専用システムで運転するには専用システムの制御チャンネルを探さなければならない。ユーザが専用システムの近くにいるときは、ユーザのセルラ移動体ユニットは公衆システムではなく専用システムに同期して、上に述べた使用時間課金を減らしまたはゼロにすることが望ましい。
【００１０】
公衆システムに関連する制御チャンネルを探す方法の他に、移動体ユニットが近くの専用システムの存在を検出することのできる既存の方法（例えばＴＩＡ／ＥＩＡ１３６標準に指定されている方法）もある。しかしこの方法は、特定の専用システムを中に含む公衆システムの或る特性を移動体ユニットが検出することに依存する。移動体ユニットはそのメモリ内に、例えばシステムおよびセルの識別などの特定の公衆セルの識別特性を記憶している。移動体ユニットは、記憶している特性と一致する特性を持つ公衆セルに同期すると、関連する専用システムの制御チャンネル探索アルゴリズムに入る。
【００１１】
別の方法では、移動体ユニットは単純に専用システムを定期的に探す。すなわち移動体ユニットは特定の公衆セルを参照せず、特定の専用システム識別を有する制御チャンネルを定期的に探す。
【００１２】
しかしかかる従来の方法にはいくつかの欠点がある。上に述べた第１の方法では、公衆システムの運転者が新しいセルを追加してセルのレイアウトを変えた場合は、移動体ユニットは専用システムを中に含む公衆セルの記憶している特性を検出するとができない。したがって、運転者が行った公衆システムの変更を考慮して専用システムに到達することができるように、例えばユーザが移動体ユニットの記憶内容を更新しなければならない。また定期的に探索する方法を用いた場合は、移動体ユニットは絶えず探索する必要があるので電池が消耗する。また、移動体ユニットは公衆システムで到着するページングを検出しながら、同時に専用システムの制御チャンネルを探索することはできない。したがって、移動体ユニットが専用システムの存在を検出して、これに関連する制御チャンネルを探す効率の高い方法が必要である。
【００１３】
（概要）
本発明の例示の実施の形態では、移動局は、近接システムが近くにあることを移動局に知らせる近接検出器を含む。近接システムは専用無線通信システムに組み込んでもよいし、専用無線通信システムに接続する独立システムでもよい。近接システムは、移動局が検出するための、データ変調された信号または変調されない信号を出す。本発明の別の例示の実施の形態では、近接システムはより高度の、双方向データ転送が可能な方法を用いる。
【００１４】
近接システムが単に自分の存在を移動局に知らせる場合は、移動局は専用無線通信システムに関連する制御チャンネルを探索する。しかし近接システムが移動局に情報（例えば、専用無線通信システムの制御チャンネル周波数、または探している制御チャンネルの周波数を含む周波数の部分集合に関する情報）を転送することもできる場合は、これを利用すれば移動局は専用無線通信システムに同期することが容易になる。
【００１５】
本発明の更に別の例示の実施の形態では、移動局内に例えば無線周波数（ＲＦ）センサや、磁気センサや、更に高度の短距離受信機などの種々の方法で近接装置を実現して、移動局が専用通信システムに接続を開始するトリガにする。近接システムが単なる近接信号以上の情報を伝える機能を持つ近接検出方式を用いる場合は、かかる情報を受信しまた出力するように移動局を設計する。例えば、近接システムは近接信号と共にユーザのｅメールまたは音声メールを伝えてよい。同様に、近接システムに情報をアップロードするように移動局を設計してもよい。
【００１６】
本発明の更に別の例示の実施の形態では、システムと方法は、移動局の識別を認証してこの認証過程に基づいて選択的にアクセスさせることにより、例えばドアや建物などへのアクセス制御を行う。認証は、任意の近接システム、専用無線通信システム、公衆無線通信システムのどれかと移動局との間に行うことができる。
【００１７】
（詳細な説明）
以下の説明はセルラ無線電話システムについて述べるが、理解されるように、本発明はこれに限られるものではない。より特定して述べると、以下の説明はＡＮＳＩ１３６に準拠したシステムに関連した用語を用いて述べるが、当業者が理解するように、本発明はＩＳ−９５、ＧＳＭ、ＰＤＣなどの他の標準に準拠して設計されたものや、ＣＤＭＡなどの他のアクセス方式を用いたものを含む、他の通信アプリケーションで実現することができる。
【００１８】
上に述べたように、従来のシステムと方法は公衆無線通信システムを用いて移動局と専用無線通信システムを接続する。図２に、複数の公衆無線通信システムのセルＣ１、Ｃ２、Ｃ３と、その無線通信サービス・エリヤが３つの全ての公衆セルに重なる単一の専用無線通信システム２００を示す。一般にユーザが特定の「通常の」経路に従う場合は、そのユーザの移動局は、公衆無線通信セルＣ２とＣ３を認識したとき専用無線通信システム２００を探索するようにプログラムされているだけである。例えば移動局は、制御チャンネル周波数、システム識別コード（ＳＩＤ）、ディジタル確認カラー・コード（ＤＶＣＣ）、システム運転者コード（ＳＯＣ）などの公衆セルＣ２とＣ３の諸特性（すなわち公衆サービス・プロフィール（ＰＳＰ））を認識するようプログラムされている。セルＣ３を識別すると、移動局は専用無線通信システム２００に関連する周波数を「探し」始める。これらの周波数の１つで電力を見つけた場合は、移動局はそのチャンネルを読み取って、これが専用無線通信システム２００に関連する専用システム識別コード（ＰＳＩＤ）を有する制御チャンネルかどうか判定する。この過程は、移動局が図２に示す経路を通ってセルＣ２に入るときも継続する。なぜなら、専用無線通信システム２００を探すのに用いるよう、この公衆セルの特性は移動局にもプログラムされているからである。
【００１９】
しかし図２に示す別の経路を通って移動する場合は、移動局は公衆セルＣ２とＣ３に入らずに専用無線通信システム２００のサービス・エリヤに到着する。この例では移動局にはセルＣ１のＰＳＰがプログラムされていないので、専用無線通信システム２００の制御チャンネルの探索を開始しない。本発明の例示の実施の形態は近接システムと移動局内の近接検出器を設けることにより従来のシステムおよび方法のこの欠点を直し、専用無線通信システムの制御チャンネルを探すトリガ機構と、以下に述べる多くの他の有用な特徴を移動局に与える。
【００２０】
本発明の例示の実施の形態では、図３に示すように少なくとも３つの異なるシステム、すなわち公衆無線通信（pubrad）システムと専用無線通信（privrad）システムと近接システムが、何らかの形で共存する。pubradシステム３００とprivradシステム３１０と近接システム３２０は「雲」の形のサービス・エリヤで表されており、privradシステム３１０と近接システム３２０のサービス・エリヤは重なっている。しかし当業者が理解するように、これらのシステムのサービス・エリヤは任意の希望する方法で重なってよい。例えば、pubradシステム３００のサービス・エリヤがprivradシステム３１０のサービス・エリヤを囲み、更にprivradシステム３１０のサービス・エリヤが近接システム３２０のサービス・エリヤを囲んでも、ここに述べる原理は影響されない。更に、例えばＴＩＡ／ＥＩＡ  ＩＳ−４１またはＧＳＭ  ＭＡＰに記述されている信号方式を用いてこれらのシステムを相互接続してよい（図３に点線で示すように）。
【００２１】
privradシステム３１０と近接システム３２０は或る地政学的エンティティ３３０（例えばオフィス・パーク）とも関連してよい。また、privradシステム３１０と近接システム３２０はコンピュータ・システム３４０（例えば、構内通信網ＬＡＮ））に接続してもよい。これによりこれらのシステムは情報を共有し、後に述べるように種々の方法で協同することできる。pubradシステム３００はホーム・ロケーション・レジスタ（ＨＬＲ）３４５、または加入者と移動体装置に関する種々の情報を含む同様のエンティティを含む。
【００２２】
移動局３５０はこれらのシステムの１つ以上に関連して動作し、また例えば以下に説明する全ての実施の形態に述べられている近接検出器を含み、これらの異なるシステムに関して異なる種類のシステム・アクセス／切断信号を有する。この信号について、図３に示す番号方式、すなわちダウンリンク（１）、（３）、（５）とアップリンク（２）、（４）、（６）を用いて以下に説明する。例えば、pubradシステム３００と移動局３５０の間のダウンリンク（１）では、従来の明示的な種類の情報、例えば信号強さの測定を行う隣接セルのリストや、周波数やＰＳＩＤ情報を含むリストなどを通信する。セルラ無線通信システムに用いられる隣接セルのリストに関する詳細は、Raith 他の米国特許番号第５，３５３，３３２号に記述されている。この特許を引例としてここに挿入する。これらの送信から、移動局３５０は、pubradシステム３００のＰＳＰを暗示的に決定することもできる。アップリンク（２）では、移動局３５０は、パワーダウン登録メッセージやＣ番号メッセージ（例えば、pubradシステム３００から到着する呼を受信して、ＩＳ−４１またはＧＳＭ  ＭＡＰを介してpubradシステム３００に接続されていないprivradシステム３１０にこの呼を転送するときに用いられる）による登録取り消しなどの信号を送信することができる。
【００２３】
移動局３５０とprivradシステム３１０の間では、移動局は登録関係の情報をダウンリンク（３）で受信することもできる。例えば移動局３５０は、privradシステム３１０を識別する情報（すなわちそのＰＳＩＤ）や、privradシステム３１０に関連する挨拶（greeting）や、アップリンク（４）で送信される登録要求に対する応答などの中の１つ以上を受信することができる。またprivradシステム３１０は種々の情報（コンピュータ・システム３４０から送られる情報）をダウンロードすることもできる。この情報は、例えば音声メール（実際の音声メール、または音声メールが存在するという通知）や、ｅメール（これも実際のｅメール、またはそれが存在するという通知）や、地政学的エンティティ３３０に関する一般情報（例えば、ランチ・メニュー、一般的なプラント情報、コンピュータ・ネットワーク保全計画など）などである。
【００２４】
同様の信号が移動局３５０からprivradシステム３１０へのアップリンク（４）で送られる。したがって、移動局３５０はアップリンク（４）での登録応答や、privradシステム３１０への（また随意であるがコンピュータ・システム３４０への）アップロード情報を送信することができる。このアップロード情報は、例えば実行（to-do）リストや、送信するファクシミリや、ｅメールなどを含む。
【００２５】
移動局３５０は独立に近接システム３２０と通信することもできる。ダウンリンク（５）とアップリンク（６）で転送される情報の種類は、用いられる近接システム３２０の種類に依存する。一般的に言えば、また制限的ではなく単なる説明のためであるが、本発明に係る例示の近接システムは、（ａ）移動局に２進の近接指示を与える信号だけを送信するものと、（ｂ）移動局に近接指示と随意の制限された量の情報（例えばＰＳＩＤまたはＰＳＩＤのグループ）を与える信号を送信するものと、（ｃ）双方向データ転送機能を持つもの、に分類することができる。
【００２６】
種々の例示の近接システムについて、かかるシステムの信号を受信する移動局３５０に関して以下に説明する。しかし簡単に述べると、（ａ）型の近接システムでは、近接信号を受信すると移動局はprivradシステム３１０の探索を開始する。このprivradシステム３１０は特定の移動局３５０が接続することを許可されたprivradシステムの場合も許可されていないprivradシステムの場合もあるが、どちらの場合も近接システム３２０は移動局が探索する時期を認識するのに役立つ。（ｂ）型の近接システムでは、やはり移動局は近接信号を受信するとprivradシステム３１０の探索を開始するが、移動局の探索を助ける情報、例えば探索に用いる周波数の範囲を与えて探索時間を減らしたり、近くのprivradシステム３１０の識別を与えて探索が有用かどうかを移動局が決定できるようにする情報も与える。後者の場合は、privradシステム３１０の信号は特定のprivradシステム３１０を識別する特有のＰＳＩＤではなくＰＳＩＤの範囲を含む。
【００２７】
また、かかるデータは明示的に（例えば無線周波数搬送波をＰＳＩＤディジットで変調することにより）または暗示的に送信することできる。暗示的なデータ転送の例として、近接信号を乗せて送信する８つの異なる周波数の中の１つを近接システムが用いる場合を考える。この周波数は特定のＰＳＩＤまたはＰＳＩＤの範囲と関係づけることができる。例えば、周波数番号（１−８）はＰＳＩＤの最後の３ディジットであってもよいし、ＰＳＩＤのグループを識別する数でもよい。これにより、移動局は特定の周波数の近接信号を検出すると、関連するprivrad３１０が近くに存在することをこの近接信号が示すかどうか決定することできる。
【００２８】
（ｃ）型の近接システムでは、完全な双方向のデータ転送が可能なので、近接システムは例えばprivradシステム３１０に関して上に述べたものと同じアップリンクおよびダウンリンク機能を提供する。（ｃ）型の近接システムの一例は、双方向のデータ転送を可能にする最近開発された「ブルートゥース」技術で定義される比較的低いコストで狭い範囲の無線送信システムである。ブルートゥースは２．４５ＧＨｚ周波数帯域の汎用無線インターフェースであって、これにより携帯用電子装置は短距離の特定のネットワークを介して無線で接続して通信することができる。ブルートゥース技術に関する詳細は、Jaap Haartsenの論文「ブルートゥース--特定の無線接続のための汎用無線インターフェース（BLUETOOTH--The universal radio interface for ad hoc, wireless connectivity）」、Ericsson Review, Telecommunications Technology Journal No.3, 1998、に述べられている。この開示を引例することにより取り込まれる。本発明に関して、これらの例示の実施の形態の内容が不明確になるのを避けるために、直接関係のあるブルートゥースの特徴だけを述べる。
【００２９】
ブルートゥース・システムでは、固定部はマスタ装置として動作し、近くにいる任意の移動局が受信するためのＩＮＱＵＩＲＥメッセージを絶えず送信する。近くにいるセルラ移動体ユニット内のモデムはこの送信されたメッセージに応答して、近接システムが存在することを認識する。次に、移動局は上に述べたようにprivradシステムの制御チャンネルを見つけてこれに同期する。または、移動体ユニット内のモデムがマスタ装置として動作し、問い合わせを例えば数秒毎に絶えず送信する。この問い合わせに対する近接システムからの応答を用いてprivradシステムへの接続を開始する。
【００３０】
本発明の例示の実施の形態に係るシステムについて簡単に説明したので、次にかかるシステムと共に用いられる例示の移動局３５０について説明する。上に述べたように、移動局３５０は近接検出器を含む。近接検出器自体は種々の他のアプリケーションに用いられている。例えば、あるオフィス環境では、有効な形式の識別を所持していない社員は施設の種々の部分へのアクセスが制限される。例えば社員は自分を識別する磁気的に符号化されたバッジを携行する。スキャナーがバッジ上に符号化された情報を読み取るとドアの錠があき、または警報が止まって、アクセスが許可される。同様に、盗難防止システムは固定すなわち設置された近接検出器を備え、警報を止めるバッジまたはキーの存在を検出し、または逆に、品物を購入した後で動作を止めないと警報が働くタグの存在を検出する。
【００３１】
本発明の例示の実施の形態では、移動局（例えばセルラ電話）は電話で近接システム３２０の存在を検出する装置を備える。この装置は、例えば認証バッジと実質的に同様に機能する。しかし少なくとも２つの点でバッジと異なる。第１に、認証バッジを用いた場合はバッジ上に符号化された情報を固定すなわち設置された装置で検索する。これに対して本発明の例示の実施の形態では、近接システムを検出する装置を一般に移動体ユニット内に設け、固定すなわち設置されたユニット内には設けない（ただし移動体部が例えば上に説明したブルートゥースを用いて近くにある近接システムをポーリングするなど、実施の形態によっては例外がある）。第２に認証バッジの場合は、固定スキャナーが有効な符号を読み取るとドアをあけたり警報を止めたりする。しかし本発明の例示の実施の形態では、移動体ユニットが近接システム３２０を検出しても必ずしも近くのprivradシステム３１０にアクセスしない。例えば近接システム３２０は、privradシステム３１０へのアクセスを拒否する識別特性を移動局３５０に通知することがある。いずれにしても、サービスを要求し確立するために、移動体ユニットはprivradシステムの制御チャンネルで登録手続きを行う。
【００３２】
本発明の例示の実施の形態を実施するには、既存の多くの形式の近接検出器を移動局３５０に用いてよい。図４に示す１つの例示の実施の形態では、（ａ）型の近接システム３２０に関連する固定部（例えば基地局、これは図４に示していない）は、特定の周波数でダウンリンク（５）により無線信号４０１を送信する。移動局３５０は小型のアンテナ４０４に結合するＲＦ感知装置４０２を含む。この装置４０２は、近接システムの固定部からのこの特定の信号を受けると例えば割り込み信号を生成する。この信号は少なくとも、privradシステム３１０が近くにあることを移動局３５０に知らせる。マイクロプロセッサ４０６はＲＦ感知装置４０２から割り込み信号を受けると、ダウンリンク（３）（信号４０８で示す）の制御チャンネルの探索を開始する。制御チャンネルを見つけると、移動局はprivradシステム３１０のＰＳＩＤが、記憶している専用システム識別（ＰＳＩＤ）の中の１つと一致するかどうかを、例えばＡＮＳＩ１３６標準に記述されているＰＳＩＤログイン用の方法を用いて判定する。
【００３３】
近接システム３２０が（ｂ）型または（ｃ）型のシステムの場合、すなわち割り込み信号を生成するのに必要な情報以上の情報を信号４０１で（随意に）送信することが可能な場合は、移動局３５０はこの情報を種々の方法で用いる。例えば、信号４０１がＰＳＩＤ（またはＰＳＩＤの或る範囲）を含む場合はこの情報を随意のデータ・バス４０９でマイクロプロセッサ４０６に送り、近くにあるprivradシステム３１０が、移動局３５０が接続を許可されているシステムであるかどうかを判定する。または、近接システム３２０は近くにあるprivradシステム３１０の制御チャンネルが用いる周波数（または周波数の範囲）を送信してよい。この情報を用いれば、移動局はこのprivradシステムの制御チャンネルの探索時間を短縮することができる。
【００３４】
更に別の例として、近接システム３２０が（ｂ）型または（ｃ）型の場合は、近接システム３２０の固定部は、移動局の現在の位置を示す、近接信号を変調したコードをダウンリンク（５）で送信してよい。移動局３５０はこのコードを用いて、近くのprivradシステム３１０の制御チャンネル（３）のスペクトルの関連する部分の部分スペクトルを探索する。また、移動局３５０がprivradシステム３１０の制御チャンネルを見つけてアップリンク（４）でこれにログインすると、移動局は位置コード（近接システムが送信した）を中継することできる。privradシステム３１０の固定部はこれを受けて、ユーザのログイン情報を位置コードと共にコンピュータ・システム３４０内の中央データベースに送る。privradシステムまたはオフィス・パーク３３０のＬＡＮはこのデータベースを用いてユーザの所在に関する報告を作り、この報告を例えば運転者に送る。
【００３５】
ＲＦ近接検出器に代わるものとして磁気近接検出器を移動局３５０に用いてよい。例えば、近接システム３２０の固定部が静止磁界を生成し、移動局３５０は磁気センサを備えてこの静止磁界を検出してよい。この場合も、磁界を検出すると例えば割り込み信号を生成し、これをマイクロプロセッサ４０６に送って前に述べたようにして専用システムを探索する。当業者が理解するように、ＲＦおよび磁気以外の他の技術を用いて近接検出器を実現することできる。用いる近接検出器の種類に関係なく、移動局の脱着可能な部分（例えば、ＧＳＭシステムに用いられている加入者識別モジュール（ＳＩＭ）などのスマート・カード）に近接検出器を組み込むことができる。
【００３６】
本発明の例示の実施の形態に係る、privradシステムを認識して同期する方法の概要を図５の流れ図に示す。ブロック５００で移動局はprivradシステムが近くにある（例えば通信範囲内にある）という指示を受信する。ステップ５１０で、例えば以前に記憶した１つ以上の周波数に同調し、ユーザが用いることを許可されているprivradシステムに対応するＰＳＩＤを探すという手順で、移動局は関係する制御チャンネルを探す。ステップ５２０で見つかった場合は、移動局はブロック５３０でprivradシステムに登録する。見つからない場合は、移動局はブロック５４０でpubradシステムとの接続を維持する。
【００３７】
出願者の考えでは移動局がprivradシステムの近くにいることを速く決定することは有益であるが、移動局がいつprivradシステムから出てpubradシステムの無線通信カバレージ内の領域に入ったかを知ることも有用である。この情報を用いればpubrad制御チャンネルの探索を開始することができる。例えば、前に述べた近接検出器と近接システムが位置に関係する情報を移動局に与える場合は、この情報を、privradシステムからの退出／pubradシステム領域への進入と関係づけることができる。pubrad制御チャンネルの探索の開始は、現在のprivrad制御チャンネルの受信信号強さが減少したことで行ってもよい。
【００３８】
同様に、移動局とシステムの固定部との間の近接検出システムにより双方向データ転送が可能な場合は、例えば従来のセルラ・システムで行われている認証手続きを用いてユーザの活動を許可することできる。認証手続きは、例えば移動局３５０の認証を行うエンティティに従って種々の方法で行うことができる。例えば、図３に示すように３つのシステム３００と３１０と３２０の全てが相互接続されている場合は、どのシステムが移動局の認証を行ってもよい。認証を行うエンティティが例えばＨＬＲ３４５を用いるpubradシステム３００の場合は、privradシステム３１０のダウンリンク（３）とアップリンク（４）で、または近接システム３２０のダウンリンク（５）とアップリンク（６）で通信し、ＩＳ−４１またはＧＳＭ−ＭＡＰ接続を介して情報を伝えて認証を行うことができる。この例ではpubradシステム３００が認証を行うエンティティなので、セルラ・システムで用いられたキーおよび認証アルゴリズムと同じものを用いて認証過程を行うことができる。もちろん、異なるキーおよび／またはアルゴリズムを用いることもできる。
【００３９】
必要であれば、privradシステムまたは近接システムも認証を行うエンティティとして動作することもできる。かかる場合は、各通信リンク対（３）および（４）、または（５）および（６）をそれぞれ用いて認証を行う。privradシステムまたは近接システムが認証するエンティティとして動作する場合は別個のキー（すなわち、pubradシステム３００で認証に用いられるものと異なるキー）を用いて、この情報をprivradシステム３００から送る必要がないようにする。
【００４０】
認証と近接システムを上に述べたように結合すれば、種々の新しい興味ある本発明の使用例が生まれる。例えば移動局３５０（または移動局内のスマート・カード）が、オフィス・パーク３３０のドアの錠をあける鍵として機能してよい。この施設内の錠をおろしたドアの近くにいるとき、移動局が入ることを許可するかどうかは上に述べた認証手続の中の１つを用いて決定することできる。より特定して述べると、例えば移動局内のスマート・カードは近接検出器を含んでよい。近接信号を受信すると、スマート・カードは移動局のプロセッサに信号を送ってprivradシステム３１０の制御チャンネルを探してログインする。システムにログインした後で、移動局はprivradシステムを介して認証を行う。認証された場合は、認証の結果を近接システム３２０と共用し、近くのドアの錠をあけることができる。
【００４１】
特定の実施の形態を参照して本発明を説明し図示したが、本発明はかかる例示の実施の形態に限定されるものではない。当業者が理解するように、本発明の精神から逸れることなく種々の修正や変更を行うことできる。
【図面の簡単な説明】
【００４２】
本発明の他の特徴と利点は、本発明の原理を例により示す詳細な説明と添付の図面を参照すれば明らかになる。
【図１】例示のセルラ移動体無線電話システムのブロック図である。
【図２】公衆無線通信システムと専用無線通信システムの各部を含む例示のセルラ・システムのレイアウトである。
【図３】本発明の例示の実施の形態に係る、公衆無線通信システムと専用無線通信システムと近接システムの間の相互作用を示す例示の組み合わせである。
【図４】本発明に係るＲＦ検知近接検出器を有する例示の移動局である。
【図５】本発明に係る例示の方法を示す流れ図である。
【図１】
2007202141.tif 000003
【図２】
2007202141.tif 000004
【図３】
2007202141.tif 000005
【図４】
2007202141.tif 000006
【図５】
2007202141.tif 000007
【手続補正書】
【提出日】平成19年2月6日(2007.2.6)
【手続補正１】
【補正対象書類名】特許請求の範囲
【補正対象項目名】全文
【補正方法】変更
【補正の内容】
【特許請求の範囲】
【請求項１】
移動局であって、
無縁通信システムに関連するエアインタフェースの第１ダウンリンクを介して、前記無線通信システムから信号を受信する受信機と、
前記無線通信システムとは独立している近接システムの第２ダウンリンクを介して、前記無線通信システムの存在を当該移動局へ示す近接指示を前記近接システムから受信する近接検出器と、
プロセッサとを備え、
前記プロセッサは、
前記受信した前記近接指示を処理し、
前記近接指示を受信すると、前記受信機による前記無線通信システムに関連する前記第１ダウンリンク上の制御チャンネル信号の探索を開始し、
前記受信した信号を処理するよう構成されている
ことを特徴とする移動局。
【請求項２】
前記近接検出器は、ＲＦ感知装置である
ことを特徴とする請求項１に記載の移動局。
【請求項３】
前記近接検出器は、磁気センサである
ことを特徴とする請求項１に記載の移動局。
【請求項４】
前記近接検出器は、ブルートゥース受信機である
ことを特徴とする請求項１に記載の移動局。
【請求項５】
前記受信した前記近接指示は、１つ以上の追加情報要素を含み、また前記近接検出器は、前記１つ以上の追加情報要素を読み取るよう構成されている
ことを特徴とする請求項１に記載の移動局。
【請求項６】
前記追加情報要素は、ｅメール情報と音声メール情報の中の１つ以上を含む
ことを特徴とする請求項５に記載の移動局。
【請求項７】
前記１つ以上の追加情報要素は、前記無線通信システムに関連する制御チャンネルに関連する情報を含む
ことを特徴とする請求項５に記載の移動局。
【請求項８】
前記１つ以上の追加情報要素は、前記無線通信システムに関連する制御チャンネルを探索することのできる周波数の或る範囲に関連する情報を更に含む
ことを特徴とする請求項５に記載の移動局。
【請求項９】
前記近接検出器は、前記近接指示を生成する近接システムに１つ以上の第２の情報要素をアップロードするよう更に構成されている
ことを特徴とする請求項５に記載の移動局。
【請求項１０】
前記近接検出器は、スマートカード内に含まれる
ことを特徴とする請求項１に記載の移動局。
【請求項１１】
ディスプレイを更に含み、また前記プロセッサは、前記近接指示を受信すると、予めプログラムされたメッセージを前記ディスプレイに出力する
ことを特徴とする請求項１に記載の移動局。
【請求項１２】
無線通信システムの固定部であって、
無線通信システムに関連するエアインターフェースの第１ダウンリンク及び第１アップリンクを含む通信リンクを介して周波数の或る範囲で無線信号を送信および受信するトランシーバと、
前記無線通信システムとは独立している第２ダウンリンクを介して近接指示を送信する装置とを備え、
前記近接指示は、前記無線通信システムの前記固定部の存在を示すと共に、制御チャンネル番号、前記トランシーバが送信する制御チャンネルに関連する周波数、前記無線通信システムの前記固定部に関連する専用システム識別コード、前記トランシーバが送信する制御チャンネルの周波数の範囲、及び専用システム識別コードの範囲を示すデータの内の少なくとも１つを含む
ことを特徴とする固定部。
【請求項１３】
無線通信システムへのアクセス制御を行う方法であって、
移動局で、第１ダウンリンク及び第１アップリンクを含む通信リンクを介して、前記移動局と信号を通信する前記無線通信システムの存在を示す近接指示を検出するステップであって、前記近接指示を、前記無線通信システムとは独立している第２ダウンリンクを介して近接システムから受信するステップと、
前記移動局の受信機を前記無線通信システムに関連する周波数の範囲内の少なくとも１つの周波数に同調させて、前記第１ダウンリンクを介して前記無線通信システムから通信信号を受信するステップと
を備えることを特徴とする無線通信システムへのアクセス制御を行う方法。